(57)【要約】【課題】ストローを挿入しても簡単に蓋ができ、飲みたい時に簡単に開いてストローが持ち上がってくるようなペットボトル専用ストローを提供する。【解決手段】ストロー１を収縮した長さはペットボトル底部３Ｂからペットボルの飲み口３Ａまでの位置とし、蓋６を開けるとストロー先端部２が浮かび上がってくるように末端部４には浮力を有する手段として浮力部４Ａ、４Ｂを設ける。これにより、飲みたい時には普通に蓋６を開けるとストロー本体１が持ち上がってくることができ、押圧なく簡単に蓋６を閉めることができる。また、ストロー先端部２のジャバラ部分２Ａを上方に引っぱることによって残飲料水５を最後まで飲むことができる。【選択図】図１
2006204840.tif 000002
【特許請求の範囲】
【請求項１】
収縮した状態の長さはペットボトル底部からペットボトルの飲み口までの位置とし、末端付近には浮力を有する手段を設けて、蓋を開けるとストローの先端部がペットボトルの飲み口の位置より上方に突き出てストロー本体が浮かび上がり、またストロー先端付近には首曲がりストローのようなジャバラ形状とし、ジャバラ部分を上方に引っぱり伸ばした長さがペットボトルの底部からペットボトルの飲み口までの位置より上方に突き出る長さで形成してなる浮力性能と伸縮機能を特徴としたペットボトルストロー。
【請求項２】
ストローの末端付近に有する浮力手段として、合成樹脂の発砲素材を使ったウキを設けることを特徴とする請求項１記載のストロー。
【請求項３】
ストローの末端付近に有する浮力手段として、ストロー本体に熱を加えて膨らませた空気室を形成したことを特徴とする請求項１記載のストロー。
【請求項４】
ジャバラ部分は通常の首曲がりストローのジャバラ部分と違い、ジャバラ部分を指で摘まんで上方に簡単に引っ張れるように、ジャバラ部分の幅やふくらみを大きくし伸縮機能を高め、且つ材質も柔らかな形状とする。これら性能をしたジャバラ部分を上方部に形成してなる、請求項１請求項２請求項３記載のストロー。
【発明の詳細な説明】
【技術分野】
【０００１】  本発明は、飲料水として主流となっている５００ｍｍリットルのペットボトルに対応した、ストローである。
【背景技術】
【０００２】  ペットボトルを直接口に運ぶのはこぼしたり飲みにくくかったり、また口をつけて直接飲むことにより食べ物のカスが飲料水に落ちたり、経過時間によっては口を付けた飲み口のまわりに雑菌が繁殖する問題など、ペットボトルをストローで飲むことを好む人が増えて来ている。【０００３】  しかし、通常のストローで飲むとストローはたびたびボトルの中に沈み、飲み口ギリギリのストローを指で引き上げる必要があり、また一般の店頭で現在販売しているペットボトルストローは飲むたびに折り曲げたストローの先端を飲み口から取り出し、蓋を閉める時も同じ作業をしなければならず、また蓋も閉めずらい。そこでストローを入れても簡単に蓋ができ、飲みたい時に簡単に開いてストローが持ち上がってくるような、ペットボトルストローがないものだろうか。需要の多いペットボトルを考えると、今後様々な開発が予想される。
【特許文献１】特開２００１−１７２９９公報
【特許文献２】特開２００１−１８６９７４公報
【特許文献３】特開２００３−７２７６０公報
【発明の開示】
【発明が解決しようとする課題】
【０００４】  特許文献１，２の場合、ストローの一部がらせん状のバネになっている。ペットボトルの中にストローを入れると飲み口の位置からストローの先端部が上方に出る状態である。蓋を閉めるとバネ部分が収縮され、ペットボトルの中に押し込むように収容される。しかし、らせん状のバネタイプは蓋を閉める時にしっかりと蓋を持っていないと、ストローの伸縮性によって押し出され蓋が落ちてしまう可能性があり、通常より強い力で蓋を閉めなければならない。また、形状を考えると製造コストが高くなる。【０００５】  特許文献３の場合、ストローの屈曲部に折り目をつけている。蓋を閉めるとストローの折り目の部分が屈曲してペットボトル内に収まるようになっており、蓋をあけるとストローの弾力で飛び出す構造になっている。しかし、このような弾力のストローをペットボトル内に押し込めるように蓋をする場合、これも通常より強い力で蓋を閉めなれればならない。また、バネタイプではないので蓋を開けてストローが飲み口の位置より持ち上がるような弾力の材質にするには難しい。【０００６】  そこで本発明は、従来の技術を有するこのような問題を解消した伸縮または収納可能な形状をしたペットボトル用ストローを、低コストにより提供することが課題である。
【課題を解決するための手段】
【０００７】  以上の課題を解決するための本発明は、収縮した状態のストローの長さはペットボトルの底部からペットボトルの飲み口までの位置とし、蓋を開けるとストローが浮かび上がってくるように末端付近には浮力を有する手段を設けて、またストローの先端付近には首曲がりストローのようなジャバラ形状とし、ジャバラ部分を上方に引っ張り伸ばした長さがペットボトルの底部からペットボトルの飲み口までの位置より上方に突き出る長さで形成してなる浮力性能と伸縮機能を特徴としたペットボトルストロー。【０００８】  ストローの末端付近に有する浮力手段として、合成樹脂の発砲素材を使ったウキを設けることを特徴とする。【０００９】  ストローの末端付近に有する浮力手段として、ストロー本体に熱を加えて膨らませた空気室を形成したことを特徴とする。【００１０】  ジャバラ部分は通常の首曲がりストローのジャバラ部分と違い、ジャバラ部分を指で摘まんで上方に簡単に引っ張れるように、ジャバラ部分の幅やふくらみを大きくし伸縮機能を高め、且つ材質も柔らかな形状とする。これら性能をしたジャバラ部分を上方部に形成してなる特徴とする。
【発明の効果】
【００１１】  本発明による課題解決の効果については、ストローの長さはペットボトルの底部からペットボトルの飲み口までの位置とし、蓋を開けるとストローが浮かび上がってくるように末端付近には浮力を有する構造としている。バネや弾力などによってストローの先端部がペットボトルの飲み口より突き出るタイプではない為、蓋に押圧がかからずペットボトルの蓋の開閉が通常の力で簡単に行うことができる。【００１２】  浮力構造のストローの場合、ペットボトルの飲料水が残り少なくなると、ストローの先端部が沈んできて飲みずらくなる。この場合、先端部のジャバラ部分を上方に引っ張ることにより、残飲料水を最後まで飲むことができる。また、市販の首曲がりストローを改良することで製作できる可能性が高い為、低コストでの実現化の可能性が高い。
【発明を実施するための最良の形態】
【００１３】  以下、本発明について図面に基づいて説明する。図２のストロー１を収縮した長さはペットボトル底部３Ｂからペッボトルの飲み口３Ａまでの位置とし、蓋６を開けるとストロー１が浮かび上がってくるように末端部４には浮力を有する浮物４Ａ、４Ｂを設ける。これにより、図２のストロー１をペットボトル３に入れても押圧がなく簡単に蓋６を閉めることができ、飲みたい時には図１の蓋６開けるとストロー本体１が持ち上がってくることができる。【００１４】  ストローの末端部４の浮力部４Ａ、４Ｂは、合成樹脂発砲素材４Ａとの装着かストロー本体１に熱を加えて膨らませた空気室４Ｂとする。これにより蓋６をあけるとストロー本体１がニョキッと浮かび上がってくる為、飲みやすく視覚的にもおもしろい、幼児子供の反応も良い。【００１５】  ペットボトル３の飲料水５が減ると、ストロー先端部２が沈んできてペットボトル飲み口３Ａより突き出なくなってくる。この場合、ストロー先端部２には首曲がりストローのようなジャバラ２Ａを形成し、ジャバラ２Ａを上方に伸ばした長さがペットボトル３の飲み口３Ａよりストロー先端部２が上方に突き出る長さのジャバラ２Ａ形状とし、残飲料水５を最後まで飲むことができる。【００１６】  ジャバラ部分２Ａは通常の首曲がりストローのジャバラと違い、ジャバラ２Ａ部分を指で摘まんで上方に簡単に引き上げるように、ジャバラ部分２Ａを通常の首曲がりストローのジャバラ部分より幅２Ｂが広く、また折り目部分の間隔も大きくし、ジャバラ部分のふくらみ２Ｃも大きくし、材質も柔らかい形状のものとする。伸縮可能な機能をもつ図３の２Ａ，図４の２Ｂと２Ｃ、そして浮力性能をもつ図１の浮力手段４Ａ、４Ｂを形成しているペットボトルストローである。
【図面の簡単な説明】
【００１７】
【図１】本発明によるペットボトルストローの実施形態を示す斜視図である。
【図２】本発明によるペットボトルストローの実施形態を示す斜視図である。
【図３】本発明によるペットボトルストローの実施形態を示す斜視図である。
【図４】本発明によるペットボトルストローの実施形態を示す拡大図である。
【符号の説明】
【００１８】１    ストロー本体
２    ストロー先端部
２Ａ  ジャバラ部分
２Ｂ  ジャバラ幅
２Ｃ  ジャバラふくらみ
３    ペットボトル
３Ａ  ペットボトル飲み口
３Ｂ  ペットボトル底部
４    ストロー末端部
４Ａ  ストロー浮力部（合成樹脂発砲素材）
４Ｂ  ストロー浮力部（ストロー本体に熱を加えて膨らませた空気室）
５    残飲料水
６    蓋
【図１】
2006204840.tif 000003
【図２】
2006204840.tif 000004
【図３】
2006204840.tif 000005
【図４】
2006204840.tif 000006